(57)【要約】【課題】従来の輸送容器は、開口部の封緘用の蓋体を設けていない。また、開口部の封緘用の蓋体を設けている輸送容器においては、蓋体と箱本体が拘束されていない。また、箱本体と蓋体の拘束にフックループファスナー等の拘束専用の部材を設置していた。【解決手段】４面の側面と底面を有しシート状の展開される箱本体と、前記箱体の開口部より若干小さく設定された蓋体と、前記箱体の天面と前記蓋体の所定辺にレール部材と、前記蓋体の落ち込み防止用の前記箱体に収納される内容物、又は前記箱体に設置される間仕切板、又は前記箱体の天面の４隅部にコーナー部材を備えたので、使用時に異物の侵入を防ぎ、また、内容物及び蓋体の紛失を防ぐ。【選択図】  図１１
2004323036.tif 000002
【特許請求の範囲】
【請求項１】
箱体を形成し、前記箱体の開口部の封緘用の蓋体と、前記箱体の天面の４辺の内相対する一対又は二対の辺にレール部材と、前記蓋体の４辺の内前記箱体のレール部材に対応する一対又は二対の辺にレール部材を設け、また、前記蓋体の落ち込み防止手段を施した輸送容器において、前記箱体と前記蓋体に設置されたレール部材に、前記蓋体の外れ防止構造を施していることを特徴とする輸送容器。
【請求項２】
前記箱体のレール部材および前記蓋体のレール部材を備え、前記レール部材は各々設置される辺部を補強する構造とし、また前記箱体及び蓋体に着脱自在に構成されていることを特徴とする請求項１記載の輸送容器。
【請求項３】
前記箱体のレール部材と前記蓋体のレール部材は、同一又は略同一の形状又は及び機構を有することを特徴とする請求項１又は請求項２記載の輸送容器。
【請求項４】
前記蓋体の落ち込み防止手段は、前記箱体に収納される内容物、又は前記箱体に設置される間仕切板、又は前記箱体の天面の４隅部に設置されるコーナー部材に前記蓋体の落ち込みを防止する構造を施し、且つ、前記落ち込み防止手段のいずれかを有することを特徴とする請求項１乃至請求項３いずれか輸送容器。
【請求項５】
前記箱体の天面の４隅部に設置された前記蓋体の落ち込み防止用のコーナー部材は、前記箱体に着脱自在に構成されていることを特徴とする請求項１乃至請求項４いずれか記載の輸送容器。
【請求項６】
前記箱本体と前記レール部材、前記箱体の天面の４隅部に設置された落ち込み防止部材の使用される材料は、熱可塑性樹脂で構成されていることを特徴とする請求項１乃至請求項５いずれか記載の輸送容器。
【発明の詳細な説明】
【０００１】
【発明の属する技術分野】
本発明は、複数若しくは単数の物品を内部に収納する分解可能な輸送容器に関する。
【０００２】
【従来の技術】
従来の輸送容器は、開口部の封緘用の蓋体を設けていない。また、開口部の封緘用の蓋体を設けている輸送容器においては、蓋体と箱本体が拘束されていない。また、箱本体と蓋体の拘束にフックループファスナー等の拘束専用の部材を設置していた。（特許文献１）
【０００３】
【特許文献１】
特開平１０−２７３１３９号公報
【０００４】
【発明が解決しようとする課題】
そのため、輸送容器内に異物が侵入し、また、内容品が紛失していた。また、蓋体と箱本体が拘束されていない場合は、蓋体が容易に外れまた紛失していた。また、輸送容器を幾つか上に積み重ねる場合は、最上段になる輸送容器に異物が侵入し、また、内容品が紛失していた。また、蓋体の紛失防止機構を施された輸送容器は、箱本体と蓋体の拘束にフックループファスナー等の拘束専用の部材を設置していた。
【０００５】
【課題を解決するための手段及びその作用・効果】
上記課題を解決するために、請求項１記載の発明では、箱体を形成し、前記箱体の開口部の封緘用の蓋体と、前記箱体の天面の４辺の内相対する一対又は二対の辺にレール部材と、前記蓋体の４辺の内前記箱体のレール部材に対応する一対又は二対の辺にレール部材を設け、また、前記蓋体の落ち込み防止手段を施した輸送容器において、前記箱体と前記蓋体に設置されたレール部材に、前記蓋体の外れ防止構造を施しているので、使用時の異物の侵入を防止し、又は内容品又は蓋体の紛失を防ぐ。また、前記レール部材は箱本体又は蓋体の拘束部材であり、且つ封緘時の蓋体の外れ防止部材と兼用となり、専用の部材を設置する必要がなく、箱体と蓋体を構成できるので経済的である。
【０００６】
請求項２記載の発明では、請求項１に加え、前記箱体のレール部材および前記蓋体のレール部材を備え、前記レール部材は各々設置される辺部を補強する構造とし、また前記箱体及び蓋体に着脱自在に構成されていることにより、前記レール部材は各々設置される辺部の補強が可能となり、また、レール部材が着脱可能であれば、例えば、レール部材が壊れてもレール部材だけの交換だけで済み、とても経済的である。
【０００７】
請求項３記載の発明では、請求項１又は請求項２に加え、前記箱体のレール部材と前記蓋体のレール部材は、同一又は略同一の形状又は及び機構を有することにより、前記レール部材を製作する際に、前記箱体のレール部材と前記蓋体のレール部材が同時に製作でき、効率的及び経済的である。
【０００８】
請求項４記載の発明では、請求項１乃至請求項３のいずれかに加え、前記箱体に収納される内容物、又は前記箱体に設置される間仕切板、又は前記箱体の天面の４隅部に設置されるコーナー部材に前記蓋体の落ち込みを防止する構造を施し、且つ、前記落ち込み防止手段のいずれかを有することにより、封緘時の蓋体の落ち込みを防止することができる。
【０００９】
請求項５記載の発明では、請求項１乃至請求項４のいずれかに加え、前記箱体の天面の４隅部に設置された前記蓋体の落ち込み防止用のコーナー部材は、前記箱体に着脱自在に構成されていることにより、コーナー部材が着脱可能であれば、例えば、コーナー部材が壊れてもコーナー部材だけの交換だけで済み、とても経済的である。
【００１０】
請求項６記載の発明では、請求項１乃至請求項５のいずれかに加え、前記箱本体と前記蓋体、前記レール部材、前記コーナー部材の使用される材料は、熱可塑性樹脂で構成されていることで、リサイクル性の高い輸送容器となる。
【００１１】
【発明の実施の形態】
以下、本発明をその実施の形態を示す図面を参酌しながら説明し、本発明の理解に供する。図１は本発明の実施形態である輸送容器の組立外観図である。輸送容器１は、収納部を形成する箱本体１０と、天面の四隅部の補強用としての役割を持つコーナー部材２０と、底辺の４隅部の補強用としての補強部材３０と、天面の４辺部の補強用として取り付けられるのレール部材４０と、取っ手部材５０と、天面を覆う蓋組品６０にて構成される。また、前記蓋組品６０は、蓋体７０と前記レール部材４０と前記取っ手部材５０で構成される。
【００１２】
図２に示すように、前記箱本体１０と前記蓋体７０は耐水防水性、加工性、軽量性、高強度性に優れた、熱可塑性ポリオレフィン系樹脂等の熱可塑性樹脂から成形されたリブを有する中空構造板である。この中空構造板は、住化プラステック株式会社製のサンプライ（登録商標）や宇部日東化成製のダンプレート（商品名）により入手可能で、厚さが１〜１５ｍｍの熱可塑性ポリプロピレン系樹脂から成形されたものであり、廃材となった場合であっても、再資源として利用でき、環境保全の観点からも望ましいものである。なお、本物品搬送箱を構成する際、中空構造板のリブの方向は、展開図中にて適宜表示する。
【００１３】
図３は、前記箱本体１０は厚さが６ｍｍの中空構造板からなる内側展開図である。箱本体は、方形の底面１５と、４つの側面１１、１２から成る。前記底面１５と前記側面１１、１２及び、収納部側に折り込まれる内フラップ１３、１４と境界部（点線で示す）は、罫線処理（減厚処理）をした折り線である。
【００１４】
前記側面１１、１２には、前記レール部材４０と前記コーナー部材２０を取り付ける折り返し片１６が形成される。境界部（二点鎖線で示す）は、半切り処理（内側の面のみ切り欠きを設け、外側の面のみ残す。）をした折り線であり、外観外側（展開図の裏面）に１８０°に折ることが可能となる。前記底面１５に補強部材の取り付け用の係合穴１５ａが、また前記側面１１に係合穴１１ａ、１１ｂと切り欠き部１１ｃ、１１ｄが形成され、前記内フラップ１３には前記側面１２の開き防止片１３ａが、前記内フラップ１４にはその係止用の切り欠き１４ａが設けられ、前記内フラップ１３、１４が係合すると、取っ手取り付け穴１３ｂが形成される。また、前記側面１１にも同形状の取っ手取り付け穴１１ａが形成され、立体を形成すると、前記側面１１の穴１１ａと前記内フラップ１３、１４で形成した穴１３ｂ同士が一致するようになっている。
【００１５】
組立手順を説明する。前記側面１２は境界部により谷折りで前記底面１５に対して垂直に折り、前記内フラップ１４を境界部により谷折りで前記側面１２に対して垂直に折り、前記内フラップ１３を境界部により谷折りで前記側面１２に対して垂直に折る。その際、前述で説明したように、前記内フラップ１３には前記側面１２の開き防止片１３ａが、前記内フラップ１４の切り欠き１４ａに係合され、取っ手取り付け穴１３ｂが形成される。前記側面１１は境界部により谷折で前記底面１５に対して垂直に折り、前記側面１１に形成された取っ手取り付け穴１１ａと、前記内フラップ１３、１４で形成された取っ手取り付け穴１３ｂ同士が一致する。
【００１６】
図４は、前記開き防止片１３ａと切り欠き１４ａの形状であり、（ａ）は斜面同士係合する形状であるので開く際にある程度の弾力性がもたれている。（ｂ）は垂直面同士で係合するため（ａ）より係合力が強くなる。（ｃ）は（ｂ）の鋭角部分に曲面処理を設け処理をしたものであり組立者が、鋭角部位による怪我防止を行っている。よって、仕様にあわせて形状を選定することができる。
【００１７】
図５は取っ手部材５０の三面図である。前記取っ手部材５０は、前記取り付け穴１１ａ及び取り付け穴１３ｂに前記箱本体１０の外側から挿入される部材５１と、後述する該部材５１の筒片５１ｂの内側に、前記箱本体１０の内側から挿入される部材５２で構成されている。
前記部材５１は使用者の持ち上げるために手が入りやすいように筒構造となっており、当接片５１ａと筒片５１ｂで形成されている。該筒片５１ｂには、前記部材５２との結合用の係合穴５１ｃが該筒片５１ｂの壁に４箇所設けられている。
前記部材５２は使用者の手が物品収納部に入らないように凹構造となっており、当接片５２ａと筒片５２ｂで形成されている。該筒片５２ｂには、前記部材５１との結合用に三角形状の係合片５２ｃが設けられている。
【００１８】
図６の示すように、前記側面１１と前記内フラップ１３、１４を前記側面１１の前記境界部により重ね合わせ、前記部材５１と前記部材５２が、それらを挟むようにして係合させることにより拘束部材としての役割が可能となり、よって、前記側面１１が外側に開くのを防止でき箱体を形成できる。その際、前記当接片５１ａ、前記当接片５２ａはそれぞれ前記側面１１と前記内フラップ１３、１４に当接するように係合片５２ｃの高さを調節している。また、前記筒片が内側や外側にたわむことにより取っ手部材５０はスナップフィット構造となるため、部材５１、５２は着脱可能となっている。
【００１９】
前述にて組み立てられた箱体は、前記取っ手部材５０は側面１１の略中央部にて係合されているため、端部においては折りの反力によって前記側面１１は前記内フラップ１３、１４と若干の開きが生じてしまう。
【００２０】
図７に示すように、前記端部開き防止のための前記コーナー部材２０の説明を以下にする。前記コーナー部材２０は断面略コの字形状であり前記補強部材３０と段組の際に当接する設置面２１と、該設置面２１と垂直に形成される外柱片２２、内柱片２３にて形成されている。
前記コの字形状は投影面略Ｌ字形状となっている。前記Ｌ字の一端は、前記側面１２と折り返し片１６を挟み込むようになっており、また、上方向への抜け防止に前記折り返し片１６の係合面１６ａと係合する係合突起２２ａが前記外柱片２２に数箇所形成されている。取り付けとしては、前記コーナー部材２０は前記コの字部を上方より前記箱本体１０の前記側面１２と前記折り返し片１６に挿入する。その際、前記外柱片２２は前記係合突起２２ａにより外側にたわみながら挿入され、前記係合突起２２ａが前記係合面１６ａと係合する。また、前記Ｌ字の他端のコの字部には、前記内フラップ１２又は１３と前記側面１１、前記折り返し片１６を挟み込むようにしている（図示無し）。よって、前記内フラップ１３、１４と前記側面１１の開きを防止するとともに、補強用としてのコーナー部材２０が取り付けられる。前記コーナー部材２０は、４箇所設置のうち対称形状で２箇所が同一形状である。
【００２１】
前記外柱片２２は、前記設置面２１の上方に延出しており、前記補強部材３０が設置された際に係合する、係合突起２２ｂが形成されている。
前記内柱片２３は、前記設置面２１より下方の収納部側に前記蓋組品６０を設置する設置用突起２３ａを形成する。
【００２２】
図８に示すように、底面の４隅部の補強用の前記補強部材３０は三角形状の設置板３１に垂直に形成され、前記三角形状の側壁３２、３３によって概略形成している。
前記側面１１側に取り付けられる、前記側壁３３には、前記側面１１に設けられた係合穴１１ａ、１１ｂに係合するための、係合部が２個所に形成されている。前記設置板３１には前記底面１５に形成されている前記係合穴１５ａに、係合する係合突起３１ａが形成されている。
【００２３】
前記２箇所の係合部は、前記内フラップ１３、１４と前記側面１１の当接面を外側と収納部側に一部たわませ、且つ、係合部の柱片３３ｃ、３３ｄも収納部側に、たわませながら前記側面と内フラップの間に挿入し、前記係合穴１１ａ、１１ｂに前記柱片の先端に設けられた係合突起３３ａ、３３ｄが係合する。その際、前記底面１５も収納部側にたわみ、前記設置板３１に形成された係合突起３１ａが底面１５の係合穴１５ａに係合される。また、取り外す際も、たわみを利用したスナップフィット構造であるので補強部材３０は着脱自在となる。前記補強部材３０は、４箇所設置のうち対称形状で２箇所が同一形状である。
【００２４】
図９は、前記輸送容器１の段組の際の概略説明図である。前記輸送容器１の底面１５に取り付けられた、前記補強部材３０の前記設置板３１は、前記側壁３２、３３に垂直に外側に延出した段組用の係合突起３１ｂが設けられている。
前記コーナー部材２０の前記設置面２１から、前記係合突起３１ｂの厚さ以上の高さに前記係合突起２２ｂが形成されている。前記補強材３０が前記コーナー部材２０に挿入されると、前記コーナー部材２０の前記外柱片２２が外側にたわみ前記設置面２１、前記設置板３１が当接すると係合される。
【００２５】
図１０は、蓋体７０の厚さが６ｍｍの中空構造板からなる上面より見る展開図であり、図１１は蓋組品６０の取り付け説明図である。図１１にてレール部材４０と蓋組品６０の説明を行う。前記レール部材４０は、前記側面１１用と前記側面１２用の２種類ある。前記レール部材４０は、断面略コの字形状であり底面４１と、該底面４１と垂直に形成される外柱片４２、内柱片４３にて形成されている。また、前記レール部材４０の収納面側の前記内柱片４３には、蓋組品６０との係合突起４３ａが形成されている。
【００２６】
前記側面１２用のレール部材４０の前記コの字形状は、前記側面１２と折り返し片１６を挟み込むようになっており、また、上方向への抜け防止に前記折り返し片１６の係合面１６ａと係合する係合突起４２ａが前記外柱片４２に形成されている。取り付けとしては、前記レール部材４０は前記コの字部を上方より前記箱本体１０の前記側面１２と前記折り返し片１６に挿入する。その際、前記外柱片４２は係合突起４２ａにより外側にたわみながら挿入され、係合突起４２ａが係合面１６ａと係合する。また、前記側面１１側のレール部材は、前記内フラップ１２又は１３と前記側面１１、折り返し片１６、挟み込むようにしている（図示無し）。よって、補強用としてのレール部材が取り付けられる。側面１１用と側面１２用ではコの字の幅のみ違い、他はすべて同一形状である。
【００２７】
図１０に示すように前記蓋体７０は、輸送容器の天面開口部のより若干縮小された方形の上面７１から成り、前記レール部材４０を取り付ける折り返し片１６が形成され、境界部（二点鎖線で示す）は、半切り処理（内面のみ切り欠きを設ける）をした折り線であり、蓋体下面へ１８０°に折ることが可能となり、前記側面１１に使用したものと同形状のレール部材が、蓋体７０の四辺にレール部材が取り付けられる。
【００２８】
前記蓋体７０の上面７１には、前記取っ手部材５０取り付け用の取り付け穴７１ａが設けられており、前述と同様に取っ手部材が取り付けられる。
【００２９】
図１１及び図１に示すように前記コーナー部材２０は、輸送容器の開口部より若干小さい前記蓋組品６０が、収納部に挿入されながら前記コーナー部材２０の設置用突起２３ａに前記蓋組品６０の前記レール部材が設置されるため、前記蓋組品６０の落ち込みを防止する構造となる。また、前記蓋組品６０に取り付けられている前記レール部材と前記箱本体１０に取り付けられている前記レール部材の係合突起同士でロックが係るが、蓋体７０と箱本体１０のたわみを利用して、着脱自在な蓋構成が可能となっている。
【００３０】
図１２及び図１に示すように前記箱体に収納される内容物８０は、輸送容器の開口部より若干小さい前記蓋組品６０が、収納部に挿入されながら前記内容物８０に前記蓋組品６０の前記レール部材が設置されるため、前記蓋組品６０の落ち込みを防止する構造となる。また、前記蓋組品６０に取り付けられている前記レール部材と前記箱本体１０に取り付けられている前記レール部材の係合突起同士でロックが係るが、蓋体７０と箱本体１０のたわみを利用して、着脱自在な蓋構成が可能となっている。
【００３１】
図１３及び図１に示すように前記箱体に設置される間仕切板９０は、輸送容器の開口部より若干小さい前記蓋組品６０が、収納部に挿入されながら前記間仕切板９０に前記蓋組品６０の前記レール部材が設置されるため、前記蓋組品６０の落ち込みを防止する構造となる。また、前記蓋組品６０に取り付けられている前記レール部材と前記箱本体１０に取り付けられている前記レール部材の係合突起同士でロックが係るが、蓋体７０と箱本体１０のたわみを利用して、着脱自在な蓋構成が可能となっている。
【００３２】
なお、本実施例では樹脂性の中空構造板を使用しているが、紙製のダンボール材でも同様の効果を得られる。
【図面の簡単な説明】
【図１】輸送容器の組立外観図
【図２】中空構造板の説明図
【図３】箱本体の展開図
【図４】内フラップの開き防止形状
【図５】取っ手部材の三面図
【図６】取っ手部材の組立説明図
【図７】コーナー部材の説明図
【図８】補強部材の説明図
【図９】輸送容器の段組説明図
【図１０】蓋体の展開図
【図１１】蓋組品の取り付け説明図▲１▼
【図１２】蓋組品の取り付け説明図▲２▼
【図１３】蓋組品の取り付け説明図▲３▼
【符号の説明】
１          輸送容器
１０          箱本体
２０          コーナー部材
３０          補強部材
４０          レール部材
５０          取っ手部材
６０          蓋組品
７０          蓋本体
【図１】
2004323036.tif 000003
【図２】
2004323036.tif 000004
【図３】
2004323036.tif 000005
【図４】
2004323036.tif 000006
【図５】
2004323036.tif 000007
【図６】
2004323036.tif 000008
【図７】
2004323036.tif 000009
【図８】
2004323036.tif 000010
【図９】
2004323036.tif 000011
【図１０】
2004323036.tif 000012
【図１１】
2004323036.tif 000013
【図１２】
2004323036.tif 000014
【図１３】
2004323036.tif 000015